(57)【特許請求の範囲】
【請求項１】
携帯端末装置と無線通信を行う基地局装置と、該基地局装置を管理する管理装置とを含む無線通信システムであって、
前記管理装置は、
ランダムアクセスされる際に携帯端末装置によって任意に用いられるアクセススロットと異なる専用アクセススロットが携帯端末装置に割り当てられているか否かを管理する管理部と、
前記基地局装置の通信先携帯端末装置が優先的に通信を行うことが決められている優先端末である旨の優先通知を受け付けた場合に、前記管理部に管理されている専用アクセススロットのうち未割当ての専用アクセススロットを選択する選択部と、
前記優先端末に割り当てられている専用アクセススロットの開放要求を受け付けた場合に、前記管理部によって管理されている専用アクセススロットのうち前記開放要求が示す専用アクセススロットを開放する開放部と、
自装置が管理している基地局装置に対して、前記選択部によって選択された専用アクセススロットを確保するように指示し、自装置が管理している基地局装置に対して、前記開放部によって開放される専用アクセススロットを開放するように指示する指示部とを有し、
前記基地局装置は、
前記指示部によって指示された専用アクセススロットを前記優先端末に割り当てる割当部を有し、
前記携帯端末装置は、
前記割当部によって割り当てられた専用アクセススロットを示す情報を記憶する記憶部と、
前記記憶部に記憶されている情報が示す専用アクセススロットにより前記基地局装置に対してランダムアクセスする通信部とを有し、
前記管理部は、
共通のアクセススロットを用いる複数の基地局装置である基地局群毎に、専用アクセススロットが携帯端末装置に割り当てられているか否かを管理し、
前記選択部は、
前記優先端末の通信先が第１の基地局群から第２の基地局群に変更される旨の変更通知を受け付けた場合に、前記管理部に管理されている専用アクセススロットのうち未割当ての前記第２の基地局群に対応する専用アクセススロットを選択し、
前記開放部は、
前記変更通知を受け付けた場合に、前記第１の基地局群に対応する専用アクセススロットのうち、前記第１の基地局群において前記優先端末に割り当てられている専用アクセススロットを開放し、
前記指示部は、
前記第１の基地局群に対して、該第１の基地局群において前記優先端末に割り当てられている専用アクセススロットを開放するように指示するとともに、前記第２の基地局群に対して、前記選択部によって選択された専用アクセススロットを確保するように指示する
ことを特徴とする無線通信システム。
【請求項２】
前記携帯端末装置は、
電源が投入された場合に、前記優先通知を前記基地局装置を介して前記管理装置に送信し、電源が切られる場合に、前記開放要求を前記基地局装置を介して前記管理装置に送信する送信部
を有することを特徴とする請求項１に記載の無線通信システム。
【請求項３】
携帯端末装置から基地局装置にランダムアクセスされる際に該携帯端末装置によって任意に用いられるアクセススロットと異なる専用アクセススロットが携帯端末装置に割り当てられているか否かを管理する管理部と、
基地局装置の通信先携帯端末装置が優先的に通信を行うことが決められている優先端末である旨の優先通知を受け付けた場合に、前記管理部に管理されている専用アクセススロットのうち未割当ての専用アクセススロットを選択する選択部と、
前記優先端末に割り当てられている専用アクセススロットの開放要求を受け付けた場合に、前記管理部によって管理されている専用アクセススロットのうち前記開放要求が示す専用アクセススロットを開放する開放部と、
自装置が管理している基地局装置に対して、前記選択部によって選択された専用アクセススロットを確保するように指示し、自装置が管理している基地局装置に対して、前記開放部によって開放される専用アクセススロットを開放するように指示する指示部とを有し、
前記管理部は、
共通のアクセススロットを用いる複数の基地局装置である基地局群毎に、専用アクセススロットが携帯端末装置に割り当てられているか否かを管理し、
前記選択部は、
前記優先端末の通信先が第１の基地局群から第２の基地局群に変更される旨の変更通知を受け付けた場合に、前記管理部に管理されている専用アクセススロットのうち未割当ての前記第２の基地局群に対応する専用アクセススロットを選択し、
前記開放部は、
前記変更通知を受け付けた場合に、前記第１の基地局群に対応する専用アクセススロットのうち、前記第１の基地局群において前記優先端末に割り当てられている専用アクセススロットを開放し、
前記指示部は、
前記第１の基地局群に対して、該第１の基地局群において前記優先端末に割り当てられている専用アクセススロットを開放するように指示するとともに、前記第２の基地局群に対して、前記選択部によって選択された専用アクセススロットを確保するように指示する
ことを特徴とする管理装置。
【請求項４】
前記管理部は、
所定数の携帯端末装置によって共有される専用アクセススロットが割り当てられている携帯端末装置の数を管理し、
前記選択部は、
前記優先通知を受け付けた場合に、前記管理部に管理されている専用アクセススロットのうち前記所定数の携帯端末装置に割り当てられていない専用アクセススロットを選択する
ことを特徴とする請求項３に記載の管理装置。
【請求項５】
携帯端末装置と無線通信を行う基地局装置と、該基地局装置を管理する管理装置とを含む無線通信システムによる無線通信方法であって、
前記管理装置が、
ランダムアクセスされる際に携帯端末装置によって任意に用いられるアクセススロットと異なる専用アクセススロットが携帯端末装置に割り当てられているか否かを、共通のアクセススロットを用いる複数の基地局装置である基地局群毎に管理し、
前記基地局装置の通信先携帯端末装置が優先的に通信を行うことが決められている優先端末である旨の優先通知を受け付けた場合に、未割当ての専用アクセススロットを選択し、
自装置が管理している基地局装置に対して、選択された専用アクセススロットを確保するように指示し、
前記優先端末に割り当てられている専用アクセススロットの開放要求を受け付けた場合に、前記開放要求が示す専用アクセススロットを開放し、
自装置が管理している基地局装置に対して、開放される専用アクセススロットを開放するように指示し、
前記優先端末の通信先が第１の基地局群から第２の基地局群に変更される旨の変更通知を受け付けた場合に、未割当ての前記第２の基地局群に対応する専用アクセススロットを選択し、
前記変更通知を受け付けた場合に、前記第１の基地局群に対応する専用アクセススロットのうち、前記第１の基地局群において前記優先端末に割り当てられている専用アクセススロットを開放し、
前記第１の基地局群に対して、該第１の基地局群において前記優先端末に割り当てられている専用アクセススロットを開放するように指示するとともに、前記第２の基地局群に対して、選択された専用アクセススロットを確保するように指示し、
前記基地局装置が、
前記管理装置から指示された専用アクセススロットを前記優先端末に割り当て、
前記携帯端末装置が、
前記基地局装置によって割り当てられた専用アクセススロットを示す情報を記憶部に格納し、
前記記憶部に記憶されている情報が示す専用アクセススロットにより前記基地局装置に対してランダムアクセスする
ことを特徴とする無線通信方法。
【請求項６】
携帯端末装置と無線通信を行う基地局装置を管理する管理装置によって実行される無線通信プログラムであって、
前記管理装置に、
携帯端末装置から基地局装置にランダムアクセスされる際に該携帯端末装置によって任意に用いられるアクセススロットと異なる専用アクセススロットが携帯端末装置に割り当てられているか否かを管理する管理手順と、
基地局装置の通信先携帯端末装置が優先的に通信を行うことが決められている優先端末である旨の優先通知を受け付けた場合に、前記管理手順に管理されている専用アクセススロットのうち未割当ての専用アクセススロットを選択する選択手順と、
前記優先端末に割り当てられている専用アクセススロットの開放要求を受け付けた場合に、前記管理手順によって管理されている専用アクセススロットのうち前記開放要求が示す専用アクセススロットを開放する開放手順と、
自装置が管理している基地局装置に対して、前記選択手順によって選択された専用アクセススロットを確保するように指示し、自装置が管理している基地局装置に対して、前記開放手順によって開放される専用アクセススロットを開放するように指示する指示手順とを実行させ、
前記管理手順は、
共通のアクセススロットを用いる複数の基地局装置である基地局群毎に、専用アクセススロットが携帯端末装置に割り当てられているか否かを管理し、
前記選択手順は、
前記優先端末の通信先が第１の基地局群から第２の基地局群に変更される旨の変更通知を受け付けた場合に、前記管理手順に管理されている専用アクセススロットのうち未割当ての前記第２の基地局群に対応する専用アクセススロットを選択し、
前記開放手順は、
前記変更通知を受け付けた場合に、前記第１の基地局群に対応する専用アクセススロットのうち、前記第１の基地局群において前記優先端末に割り当てられている専用アクセススロットを開放し、
前記指示手順は、
前記第１の基地局群に対して、該第１の基地局群において前記優先端末に割り当てられている専用アクセススロットを開放するように指示するとともに、前記第２の基地局群に対して、前記選択部によって選択された専用アクセススロットを確保するように指示する
ことを特徴とする無線通信プログラム。
【発明の詳細な説明】
【技術分野】
【０００１】
本発明は、無線通信システム、管理装置、携帯端末装置、無線通信方法及び無線通信プログラムに関する。
【背景技術】
【０００２】
一般に、無線通信システムでは、携帯電話機などの携帯端末装置が基地局装置との通信を開始する場合などに、ランダムアクセス（Random  Access）と呼ばれるアクセス手法により基地局装置にアクセスすることがある。ランダムアクセスでは、携帯端末装置がＲＡＣＨ（Random  Access  CHannel：ランダムアクセスチャネル）を用いて、プリアンブルと呼ばれる識別子等を含む通信確立要求を基地局装置に対して送信することにより、携帯端末装置と基地局装置との通信が確立される。【０００３】
具体的には、携帯端末装置は、ランダムアクセスにおいて、複数のランダム系列のアクセススロット（Access  Slot）のうち任意のアクセススロットにより、通信確立要求を基地局装置に対して送信する。したがって、複数の携帯端末装置が同じタイミングで同一のアクセススロットにより通信確立要求を送信すると、双方の携帯端末装置によるランダムアクセスが競合する場合がある。ランダムアクセスの競合が発生した場合には、携帯端末装置は、一定時間待機した後に、任意のアクセススロットにより再度通信確立要求を基地局装置に対して送信することで、基地局装置との通信確立を再度試みる。このため、ランダムアクセスの競合が発生すると、携帯端末装置と基地局装置との通信確立は遅延することとなる。【０００４】
近年では、通信確立は遅延を防止するために、特定の携帯端末装置に対して固定のアクセススロットを常に割り当てておく技術が提案されている。具体的には、優先的に通信を行うことが決められている携帯端末装置に対して、他の携帯端末装置が使用することができないアクセススロットを割り当てておく。このような技術によれば、特定の携帯端末装置によるランダムアクセスと、他の携帯端末装置によるランダムアクセスとが競合しないので、特定の携帯端末装置と基地局装置との通信確立は遅延しなくなる。
【先行技術文献】
【特許文献】
【０００５】
【特許文献１】特開２００７−８２２５９号公報
【特許文献２】特開２００９−１１２０２３号公報
【特許文献３】特開平８−１５４０９７号公報
【発明の概要】
【発明が解決しようとする課題】
【０００６】
しかしながら、上記の従来技術には、特定の携帯端末装置に無線リソースが常に占有されるという問題がある。具体的には、特定の携帯端末装置に対して固定のアクセススロットを割り当てる従来技術には、特定の携帯端末装置に割り当てられているアクセススロットを他の携帯端末装置が用いることができない。アクセススロットは無線リソースであるので、特定の携帯端末装置にアクセススロットが常に占有されることは、特定の携帯端末装置に無線リソースが常に占有されることになる。【０００７】
開示の技術は、上記に鑑みてなされたものであって、無線リソースが常に占有されることを防止するとともに、ランダムアクセスの競合を防止することができる無線通信システム、管理装置、携帯端末装置、無線通信方法及び無線通信プログラムを提供することを目的とする。
【課題を解決するための手段】
【０００８】
本願の開示する無線通信システムは、一つの態様において、携帯端末装置と無線通信を行う基地局装置と、該基地局装置を管理する管理装置とを含む無線通信システムであって、前記管理装置は、ランダムアクセスされる際に携帯端末装置によって任意に用いられるアクセススロットと異なる専用アクセススロットが携帯端末装置に割り当てられているか否かを管理する管理部と、前記基地局装置の通信先携帯端末装置が優先的に通信を行うことが決められている優先端末である旨の優先通知を受け付けた場合に、前記管理部に管理されている専用アクセススロットのうち未割当ての専用アクセススロットを選択する選択部と、自装置が管理している基地局装置に対して、前記選択部によって選択された専用アクセススロットを確保するように指示する指示部とを有し、前記基地局装置は、前記指示部によって指示された専用アクセススロットを前記優先端末に割り当てる割当部を有し、前記携帯端末装置は、前記割当部によって割り当てられた専用アクセススロットを示す情報を記憶する記憶部と、前記記憶部に記憶されている情報が示す専用アクセススロットにより前記基地局装置に対してランダムアクセスする通信部とを有する。
【発明の効果】
【０００９】
本願の開示する無線通信システムの一つの態様によれば、無線リソースが常に占有されることを防止するとともに、ランダムアクセスの競合を防止することができるという効果を奏する。
【図面の簡単な説明】
【００１０】
【図１】図１は、実施例１に係る無線通信システムの構成例を示すブロック図である。
【図２】図２は、実施例２に係る無線通信システムの構成例を示すブロック図である。
【図３】図３は、実施例２におけるアクセススロットの一例を模式的に示す図である。
【図４】図４は、実施例２に係る無線通信システムによる無線通信処理例を示すシーケンス図である。
【図５】図５は、実施例２に係る無線通信システムによる無線通信処理例を示すシーケンス図である。
【図６】図６は、実施例２に係る無線通信システムによる無線通信処理例を示すシーケンス図である。
【図７】図７は、実施例２におけるＵＥの構成例を示すブロック図である。
【図８】図８は、実施例２における基地局装置の構成例を示すブロック図である。
【図９】図９は、実施例２におけるＭＭＥの構成例を示すブロック図である。
【図１０】図１０は、実施例２における基地局装置による専用アクセススロットの確保処理手順を示すフローチャートである。
【図１１】図１１は、実施例２におけるＭＭＥによる優先通知受信時における専用アクセススロットの選択処理手順を示すフローチャートである。
【図１２】図１２は、実施例２におけるＭＭＥによるＴＡアップデート受信時における専用アクセススロットの選択処理手順を示すフローチャートである。
【図１３】図１３は、複数台のＵＥに割り当てられる専用アクセススロット数の例を示す図である。
【図１４】図１４は、複数台のＵＥに１個の専用アクセススロットを割り当てる場合におけるＭＭＥによる専用アクセススロットの選択処理手順を示すフローチャートである。
【図１５】図１５は、実施例３に係る無線通信システムによる無線通信処理例を示すシーケンス図である。
【図１６】図１６は、実施例３におけるＵＥの構成例を示すブロック図である。
【図１７】図１７は、実施例３におけるＭＭＥの構成例を示すブロック図である。
【図１８】図１８は、実施例３におけるＨＳＳの構成例を示すブロック図である。
【図１９】図１９は、無線通信プログラムを実行するコンピュータを示す図である。
【発明を実施するための形態】
【００１１】
以下に、本願の開示する無線通信システム、管理装置、携帯端末装置、無線通信方法及び無線通信プログラムの実施例を図面に基づいて詳細に説明する。なお、この実施例により本願の開示する無線通信システム、管理装置、携帯端末装置、無線通信方法及び無線通信プログラムが限定されるものではない。
【実施例１】
【００１２】
まず、図１を用いて、実施例１に係る無線通信システムについて説明する。図１は、実施例１に係る無線通信システムの構成例を示すブロック図である。図１に示すように、実施例１に係る無線通信システムＮ１は、管理装置２と、基地局装置３〜５とを有する。【００１３】
また、図１に示した無線通信システムＮ１では、携帯端末装置６が基地局装置３〜５と無線通信を行う。携帯端末装置６は、例えば、基地局装置３〜５との通信を開始する場合などに、基地局装置３〜５に対してランダムアクセスする。このとき、携帯端末装置６は、所定の時間領域に分けられた複数のアクセススロットのうち、任意のアクセススロットによりランダムアクセスする。なお、以下では、携帯端末装置がランダムアクセス時に任意に用いるアクセススロットを「任意アクセススロット」と表記する場合がある。【００１４】
管理装置２は、基地局装置３〜５を管理する。図１に示した例において、管理装置２によって管理される基地局装置３〜５は、同一のアクセススロットを用いるものとする。なお、図１では、管理装置２が３台の基地局装置３〜５を管理する例を示した。しかし、管理装置２は、１台又は２台の基地局装置を管理してもよいし、４台以上の基地局装置を管理してもよい。【００１５】
かかる管理装置２は、図１に示すように、管理部２ａと、選択部２ｂと、指示部２ｃとを有する。管理部２ａは、専用アクセススロットが携帯端末装置に割り当てられているか否かを管理する。なお、ここで言う「専用アクセススロット」とは、携帯端末装置によって任意に用いられる任意アクセススロットと異なり、例えば、管理装置２等によって指定された後に携帯端末装置が用いることができるアクセススロットを示す。【００１６】
選択部２ｂは、携帯端末装置６や図示しない外部装置等から、優先的に通信を行うことが決められている携帯端末装置を示す通知を受け付けた場合に、管理部２ａに管理されている専用アクセススロットのうち未割当ての専用アクセススロットを選択する。なお、以下では、優先的に通信を行うことが決められている携帯端末装置を「優先端末」と表記する場合があり、所定の携帯端末装置が優先端末であることを示す通知を「優先通知」と表記する場合がある。【００１７】
指示部２ｃは、自装置が管理している基地局装置３〜５に対して、選択部２ｂによって選択された専用アクセススロットを確保するように指示する。例えば、選択部２ｂによってアクセススロット番号が「Ｎ」である専用アクセススロットが選択された場合に、指示部２ｃは、基地局装置３〜５に対して、アクセススロット番号「Ｎ」のアクセススロットを確保するように指示する。【００１８】
また、図１に示すように、基地局装置３は割当部３ａを有し、基地局装置４は割当部４ａを有し、基地局装置５は割当部５ａを有する。割当部３ａ、４ａ、５ａは、管理装置２の指示部２ｃによる確保指示に従って、専用アクセススロットを確保し、確保した専用アクセススロットを優先端末に割り当てる。【００１９】
また、図１に示すように、携帯端末装置６は、記憶部６ａと、通信部６ｂとを有する。記憶部６ａは、基地局装置３〜５の割当部３ａ、４ａ、５ａによって割り当てられた専用アクセススロットを示す情報を記憶する。例えば、記憶部６ａは、割当部３ａ、４ａ、５ａによって割り当てられた専用アクセススロットのアクセススロット番号を記憶する。通信部６ｂは、記憶部６ａに記憶されている情報が示す専用アクセススロットにより基地局装置３〜５に対してランダムアクセスする。【００２０】
上述してきたように、実施例１に係る無線通信システムＮ１において、管理装置２は、携帯端末装置６が優先端末である旨の優先通知を受け付けた場合に、携帯端末装置６に割り当てる専用アクセススロットを選択する。そして、基地局装置３〜５は、管理装置２によって選択された専用アクセススロットを確保する。そして、携帯端末装置６は、確保された専用アクセススロットを示す情報を記憶部６ａに格納し、その後にランダムアクセスを行う場合には、記憶部６ａに記憶されている情報が示すアクセススロットを用いる。【００２１】
このように、実施例１に係る無線通信システムＮ１は、優先端末である旨が通知された場合に、かかる優先端末専用の専用アクセススロットを確保する。したがって、実施例１に係る無線通信システムＮ１は、特定の携帯端末装置に対して固定のアクセススロットを常に割り当てないので、特定の携帯端末装置にアクセススロットが常に占有されることを防止することができる。また、実施例１に係る無線通信システムＮ１では、優先端末に専用アクセススロットを割り当てるので、優先端末によるランダムアクセスと、優先端末以外の他の携帯端末装置によるランダムアクセスとの競合を防止することができる。以上のことから、実施例１に係る無線通信システムＮ１は、無線リソースが占有されることを防止することができるとともに、ランダムアクセスの競合を防止することができる。
【実施例２】
【００２２】
実施例２では、優先端末に割り当てた専用アクセススロットを開放する処理や、優先端末の通信相手先の基地局装置が変更になった場合における専用アクセススロットの割当処理等を行う無線通信システムの例について説明する。なお、以下の実施例２では、本願の開示する無線通信システムをＬＴＥ（Long  Term  Evolution）に準拠した無線通信システムに適用する場合を例に挙げて説明する。しかし、本願の開示する無線通信システムは、ＬＴＥ以外のＷＣＤＭＡ（Wideband  Code  Division  Multiple  Access）等に準拠した無線通信システムにも適用することができる。【００２３】
［実施例２に係る無線通信システムの構成］
まず、図２を用いて、実施例２に係る無線通信システムについて説明する。図２は、実施例２に係る無線通信システムの構成例を示すブロック図である。図２に示すように、実施例２に係る無線通信システムＮ２は、ＭＭＥ（Mobility  Management  Entity）１０００と、基地局装置１００ａ〜１００ｆとを有する。【００２４】
また、図２に示した無線通信システムＮ２では、ＵＥ（User  Equipment：携帯端末装置）１０ａが基地局装置１００ａと無線通信を行い、ＵＥ１０ｂが基地局装置１００ｃと無線通信を行い、ＵＥ１０ｃが基地局装置１００ｄと無線通信を行う。なお、ＵＥ１０ａ〜１０ｃは、図１に示した携帯端末装置６に対応する。【００２５】
図２に示した例において、ＭＭＥ１０００は、コアネットワーク（Core  Network）Ｎ１０内に設置され、基地局装置１００ａ〜１００ｆを管理する。かかるＭＭＥ１０００は、図１に示した管理装置２に対応する。また、図２に示した例では、基地局装置１００ａ〜１００ｃが、トラッキングエリア（Tracking  Area）ＴＡ１１を形成し、基地局装置１００ｄ〜１００ｆが、トラッキングエリアＴＡ１２を形成するものとする。すなわち、基地局装置１００ａ〜１００ｃは、共通のアクセススロットを用い、基地局装置１００ｄ〜１００ｆは、共通のアクセススロットを用いる。【００２６】
ここで、図３を用いて、基地局装置１００ａ〜１００ｃによって用いられるアクセススロットについて説明する。図３は、実施例２におけるアクセススロットの一例を模式的に示す図である。図３に示した例では、アクセススロット番号「１」〜「４８」の４８個のアクセススロットが任意アクセススロットであり、アクセススロット番号「４９」〜「６４」の１６個のアクセススロットが専用アクセススロットである。図３に示したようにアクセススロットは、同一のトラッキングエリアＴＡ１１を形成する基地局装置１００ａ〜１００ｃによって共有される。【００２７】
かかるアクセススロットのうち、任意アクセススロットは、携帯端末装置主導のランダムアクセス時に用いられる。具体的には、携帯端末装置は、あらかじめ定められた利用可能な任意アクセススロット群の中からランダムに１つの任意アクセススロットを選択し、基地局装置にランダムアクセスする。したがって、複数の携帯端末装置が同じタイミングで同一の任意アクセススロットを用いると、競合が生じることがある。このため、携帯端末装置６のランダムアクセスは、競合許容のランダムアクセス（contention  based  random  access）ともいえる。【００２８】
一方、専用アクセススロットは、管理装置２等の制御局主導のランダムアクセス時に用いられる。例えば、携帯端末装置は、基地局装置によって割り当てられた専用アクセススロットを用いてランダムアクセスする。このような専用アクセススロットは、例えば、ハンドオーバ（Hand  Over）処理が行われる場合等に用いられる。【００２９】
［実施例２に係る無線通信システムによる無線通信処理］
次に、図４〜図６を用いて、実施例２に係る無線通信システムＮ２による無線通信処理について説明する。図４〜図６は、実施例２に係る無線通信システムＮ２による無線通信処理例を示すシーケンス図である。なお、図４〜図６に示した例において、ＵＥ１０ａは、優先端末であるものとする。【００３０】
まず、図４に示した無線通信処理について説明する。図４では、図２に示したＵＥ１０ａに電源が投入された場合を例に挙げて説明する。図４に示すように、ＵＥ１０ａは、例えば利用者によって電源ＯＮ操作等が行われることにより電源ＯＮ状態になった場合に（ステップＳ１１）、サービング基地局である基地局装置１００ａを介して、ＭＭＥ１０００に優先通知を送信する（ステップＳ１２）。【００３１】
優先通知を受け付けたＭＭＥ１０００は、ＵＥ１０ａに割り当てる専用アクセススロットを選択する（ステップＳ１３）。具体的には、ＭＭＥ１０００は、複数の専用アクセススロットのうち、他のＵＥに割り当てられていない専用アクセススロットを選択する。そして、ＭＭＥ１０００は、ステップＳ１３において選択した専用アクセススロットを確保する旨の指示である「確保指示」を基地局装置１００ａ〜１００ｃに送信する（ステップＳ１４）。このとき、ＭＭＥ１０００は、確保対象の専用アクセススロットのアクセススロット番号を含む確保指示を送信する。【００３２】
このように、ＭＭＥ１０００が確保指示を基地局装置１００ａ〜１００ｃに送信する理由は、基地局装置１００ａ〜１００ｃが１個のトラッキングエリアＴＡ１１を形成し、共通のアクセススロットを管理しているからである。すなわち、ＭＭＥ１０００は、基地局装置１００ａ〜１００ｃに対して確保指示を送信することで、ステップＳ１３において選択した専用アクセススロットがトラッキングエリアＴＡ１１内で、ＵＥ１０ａ以外の他のＵＥに用いられることを防止する。【００３３】
続いて、確保指示を受け付けた基地局装置１００ａ〜１００ｃは、専用アクセススロットを確保する（ステップＳ１５）。そして、基地局装置１００ａ〜１００ｃは、専用アクセススロットを確保した旨の応答通知をＭＭＥ１０００に送信する（ステップＳ１６）。かかる応答通知を受け付けたＭＭＥ１０００は、ＵＥ１０ａのサービング基地局である基地局装置１００ａを介して、ステップＳ１３において選択された専用アクセススロットのアクセススロット番号をＵＥ１０ａに通知する（ステップＳ１７）。【００３４】
ＵＥ１０ａは、ＭＭＥ１０００から受信した専用アクセススロットのアクセススロット番号を記憶部に格納する（ステップＳ１８）。ＵＥ１０ａは、その後に基地局装置１００ａにランダムアクセスする場合には、記憶部に記憶されているアクセススロット番号が示す専用アクセススロットを用いる。専用アクセススロットはＵＥ１０ａ以外の他のＵＥに用いられないので、ＵＥ１０ａは、一度専用アクセススロットを確保された後には、他のＵＥと競合することなく基地局装置１００ａにランダムアクセスすることができる。【００３５】
次に、図５に示した無線通信処理について説明する。図５では、図２に示したＵＥ１０ａの電源が切られた場合を例に挙げて説明する。図５に示すように、ＵＥ１０ａは、利用者による電源ＯＦＦ操作を受け付けた場合に（ステップＳ２１）、サービング基地局である基地局装置１００ａを介して、ＭＭＥ１０００に開放要求を送信する（ステップＳ２２）。ここで言う「開放要求」とは、ＵＥに割り当てられている専用アクセススロットを開放する旨の要求を示す。【００３６】
開放要求を受け付けたＭＭＥ１０００は、ＵＥ１０ａに割り当てられている専用アクセススロットを開放する（ステップＳ２３）。そして、ＭＭＥ１０００は、ステップＳ２３において開放した専用アクセススロットを開放する旨の指示である「開放指示」を基地局装置１００ａ〜１００ｃに送信する（ステップＳ２４）。このとき、ＭＭＥ１０００は、開放対象の専用アクセススロットのアクセススロット番号を含む開放指示を送信する。【００３７】
このように、ＭＭＥ１０００が開放指示を基地局装置１００ａ〜１００ｃに送信する理由は、専用アクセススロットが基地局装置１００ａ〜１００ｃによって確保されているからである。すなわち、ＭＭＥ１０００は、基地局装置１００ａ〜１００ｃに対して開放指示を送信することで、無線リソースである専用アクセススロットを開放する。これにより、他のＵＥは、ＵＥ１０ａに割り当てられていた専用アクセススロットを利用可能になる。【００３８】
続いて、開放指示を受け付けた基地局装置１００ａ〜１００ｃは、かかる開放指示に従って、専用アクセススロットを開放する（ステップＳ２５）。そして、基地局装置１００ａ〜１００ｃは、専用アクセススロットを開放した旨の応答通知をＭＭＥ１０００に送信する（ステップＳ２６）。かかる応答通知を受け付けたＭＭＥ１０００は、サービング基地局である基地局装置１００ａを介して、専用アクセススロットの開放が完了した旨の開放完了通知をＵＥ１０ａに送信する（ステップＳ２７）。【００３９】
そして、開放完了通知を受信したＵＥ１０ａは、記憶部から、自装置に割り当てられていた専用アクセススロットのアクセススロット番号を削除する。これにより、ＵＥ１０ａは、専用アクセススロットを開放する（ステップＳ２８）。そして、ＵＥ１０ａは、電源ＯＦＦ状態になる（ステップＳ２９）。すなわち、ＵＥ１０ａは、電源ＯＦＦ操作を受け付けてから、電源ＯＦＦ状態になるまでの間に、専用アクセススロットの開放処理を行う。【００４０】
このように、実施例２に係る無線通信システムＮ２は、電源ＯＦＦ操作が行われたＵＥに割り当てている専用アクセススロットを開放する。すなわち、実施例２に係る無線通信システムＮ２は、無線通信を行わないＵＥに対して専用アクセススロットを割り当ててないので、無線リソースが常に占有されることを防止することができる。【００４１】
次に、図６に示した無線通信処理について説明する。図６では、図２に示したＵＥ１０ａのサービング基地局が変更された場合を例に挙げて説明する。なお、以下では、共通のトラッキングエリアを形成する複数の基地局を「基地局群」と表記する場合がある。例えば、トラッキングエリアＴＡ１１を形成する基地局装置１００ａ〜１００ｃは、１つの基地局群であり、トラッキングエリアＴＡ１２を形成する基地局装置１００ｄ〜１００ｆは、１つの基地局群である。【００４２】
図６に示した例において、ＵＥ１０ａは、まず、基地局装置１００ａによって提供されるページングエリア（Paging  Area）内に位置するものとする。すなわち、ＵＥ１０ａは、基地局装置１００ａ〜１００ｃによって形成されるトラッキングエリアＴＡ１１内に位置する。ＵＥ１０ａは、優先端末であるので、基地局装置１００ａ〜１００ｃによって共有される所定の専用アクセススロットが割り当てられている。かかるＵＥ１０ａは、基地局装置１００ａとの間で無線通信可能な待ち受け状態である（ステップＳ３１）。【００４３】
続いて、ＵＥ１０ａは、基地局装置１００ｄによって提供されるページングエリア（Paging  Area）内に移動させられたものとする。すなわち、ＵＥ１０ａは、基地局装置１００ｄ〜１００ｆによって形成されるトラッキングエリアＴＡ１２内に位置する。かかる場合に、ＵＥ１０ａは、基地局装置１００ａや基地局装置１００ｄ等から送信される各種情報に基づいて、セル選択処理を行う（ステップＳ３２）。【００４４】
ここでは、ＵＥ１０ａは、基地局装置１００ｄをサービング基地局に選択し、基地局装置１００ｄとの間で無線通信可能な待ち受け状態になったものとする（ステップＳ３３）。かかる場合に、ＵＥ１０ａは、サービング基地局である基地局装置１００ｄを介して、ＴＡ（Tracking  Area）アップデートをＭＭＥ１０００に送信する（ステップＳ３４）。【００４５】
ここで、ＵＥ１０ａがＴＡアップデートを送信した時点では、ＵＥ１０ａに割り当てられている専用アクセススロットは、基地局装置１００ａ〜１００ｃによって共有されるアクセススロットである。このような専用アクセススロットは、基地局装置１００ｄ〜１００ｆによって共有されているアクセススロットではない。すなわち、基地局装置１００ｄ〜１００ｆによって共有される専用アクセススロットのうち、ＵＥ１０ａに割り当てられている専用アクセススロットは、既に他のＵＥに割り当てられている可能性がある。言い換えれば、ＵＥ１０ａに割り当てられている専用アクセススロットのアクセススロット番号と、トラッキングエリアＴＡ１２において割り当て済みの専用アクセススロットのアクセススロット番号とが同一である可能性がある。【００４６】
したがって、ＭＭＥ１０００は、ＴＡアップデートを受け付けた場合に、ＵＥ１０ａに割り当てる専用アクセススロットを選択する（ステップＳ３５）。このとき、ＭＭＥ１０００は、まず、現にＵＥ１０ａに割り当てられている専用アクセススロットのアクセススロット番号と同一のアクセススロット番号が利用可能か否かを判定する。これは、同一のアクセススロット番号を用いることができれば、ＵＥ１０ａは、トラッキングエリアを移動した場合であっても、自装置に記憶しているアクセススロット番号を更新しなくてよいからである。なお、ＭＭＥ１０００による専用アクセススロットの選択処理については図１１を用いて後に詳述する。【００４７】
続いて、ＭＭＥ１０００は、ＵＥ１０ａに現に割り当てられている専用アクセススロットを開放する旨の開放指示を基地局装置１００ａ〜１００ｃに送信する（ステップＳ３６）。また、ＭＭＥ１０００は、ステップＳ３５において選択した専用アクセススロットを確保する旨の確保指示を基地局装置１００ｄ〜１００ｆに送信する（ステップＳ３７）。【００４８】
開放指示を受け付けた基地局装置１００ａ〜１００ｃは、ＵＥ１０ａに割り当てられている専用アクセススロットを開放し（ステップＳ３８）、専用アクセススロットを開放した旨の応答通知をＭＭＥ１０００に送信する（ステップＳ３９）。また、確保指示を受け付けた基地局装置１００ｄ〜１００ｆは、ステップＳ３５において選択された専用アクセススロットを確保し（ステップＳ４０）、専用アクセススロットを確保した旨の応答通知をＭＭＥ１０００に送信する（ステップＳ４１）。【００４９】
基地局装置１００ａ〜１００ｆから応答通知を受け付けたＭＭＥ１０００は、サービング基地局である基地局装置１００ｄを介して、ステップＳ３５において選択された専用アクセススロットのアクセススロット番号をＵＥ１０ａに通知する（ステップＳ４２）。【００５０】
そして、ＵＥ１０ａは、記憶部に記憶されている専用アクセススロット番号を、ＭＭＥ１０００から受信した専用アクセススロットのアクセススロット番号に更新する（ステップＳ４３）。これにより、ＵＥ１０ａは、自装置が位置するトラッキングエリアが変更された場合であっても、移動先のトラッキングエリアで利用可能な専用アクセススロットを用いてランダムアクセスすることができる。すなわち、ＵＥ１０ａは、他のＵＥと競合することなく基地局装置１００ｄにランダムアクセスすることができる。また、ＵＥ１０ａは、移動前のトラッキングエリアにおいて割り当てられていた専用アクセススロットを開放することができるので、無線リソースの占有を防止することができる。【００５１】
なお、ＵＥ１０ａに割り当てられる専用アクセススロットのアクセススロット番号が変更されない場合には、ＭＭＥ１０００は、ステップＳ４２における通知処理を行わなくもよい。これにより、ＵＥ１０ａによる専用アクセススロット番号の更新処理を省略できるので、ＵＥ１０ａにかかる処理負荷を低減することができる。【００５２】
［実施例２におけるＵＥ、基地局装置、ＭＭＥの構成］
次に、実施例２におけるＵＥ１０ａ〜１０ｃの構成、基地局装置１００ａ〜１００ｆの構成、ＭＭＥ１０００の構成について説明する。なお、以下の説明では、ＵＥ１０ａ〜１０ｃについて、いずれかを特定する必要がない場合には、これらを総称してＵＥ１０と表記するものとする。また、基地局装置１００ａ〜１００ｆについて、いずれかを特定する必要がない場合には、これらを総称して基地局装置１００と表記するものとする。【００５３】
［実施例２におけるＵＥの構成］
まず、図７を用いて、実施例２におけるＵＥ１０の構成について説明する。図７は、実施例２におけるＵＥ１０の構成例を示すブロック図である。図７に示すように、実施例２におけるＵＥ１０は、アンテナ１１と、無線送受信部１２と、電源管理部１３と、優先開放通知部１４と、状態管理部１５と、ＲＡＣＨ制御部１６とを有する。【００５４】
アンテナ１１は、各種信号を空中へ発射することで基地局装置１００へ各種信号を送信したり、基地局装置１００から送信される信号を受信したりする。無線送受信部１２は、アンテナ１１を介して無線信号の送受信を行う。【００５５】
電源管理部１３は、ＵＥ１０の電源を管理する。具体的には、電源管理部１３は、電源ＯＮ通知部１３ａと、電源ＯＦＦ通知部１３ｂとを有する。電源ＯＮ通知部１３ａは、ＵＥ１０に電源が投入される場合に、ＵＥ１０に電源が投入されたことを優先開放通知部１４に通知する。例えば、電源ＯＮ通知部１３ａは、利用者によって電源ＯＮ操作等が行われた場合等に電源が投入されたことを優先開放通知部１４に通知する。電源ＯＦＦ通知部１３ｂは、ＵＥ１０の電源が切られる場合に、ＵＥ１０の電源が切られることを優先開放通知部１４に通知する。例えば、電源ＯＦＦ通知部１３ｂは、利用者によって電源ＯＦＦ操作等が行われた場合等に電源が切られることを優先開放通知部１４に通知する。【００５６】
優先開放通知部１４は、サービング基地局を介してＭＭＥ１０００に優先通知や開放要求を通知する。具体的には、優先開放通知部１４は、電源ＯＮ通知部１３ａから電源ＯＮを示す情報が通知された場合に、無線送受信部１２を介してＭＭＥ１０００に優先通知を送信する。すなわち、優先開放通知部１４は、図４のステップＳ１２に示した例のように、ＵＥ１０が電源投入された場合に、優先通知を送信する。また、優先開放通知部１４は、電源ＯＦＦ通知部１３ｂから電源ＯＦＦを示す情報が通知された場合に、無線送受信部１２を介してＭＭＥ１０００に開放要求を送信する。すなわち、優先開放通知部１４は、図５のステップＳ２２に示した例のように、ＵＥ１０の電源が切られる場合に、開放要求を送信する。【００５７】
状態管理部１５は、ＵＥ１０の位置情報や、ＵＥ１０が位置するトラッキングエリア等を管理する。具体的には、状態管理部１５は、ＴＡ変更受信部１５ａと、ＴＡアップデート通知部１５ｂとを有する。【００５８】
ＴＡ変更受信部１５ａは、ＵＥ１０が移動させられた結果、ＵＥ１０が位置するトラッキングエリアが変更された場合等に、移動先の基地局装置１００から送信されるトラッキングエリア変更通知を受信する。ＴＡ変更受信部１５ａは、かかるトラッキングエリア変更通知をＴＡアップデート通知部１５ｂに通知する。【００５９】
ＴＡアップデート通知部１５ｂは、ＴＡ変更受信部１５ａからトラッキングエリア変更通知を受信した場合に、ＴＡアップデートをＭＭＥ１０００に送信する。例えば、ＴＡアップデート通知部１５ｂは、図６のステップＳ３４に示した例のように、ＵＥ１０が位置するトラッキングエリアがトラッキングエリアＴＡ１１からトラッキングエリアＴＡ１２に変更された場合に、ＴＡアップデートをＭＭＥ１０００に送信する。【００６０】
ＲＡＣＨ制御部１６は、ＲＡＣＨを用いたランダムアクセスを制御する。具体的には、ＲＡＣＨ制御部１６は、専用ＲＡＣＨ記憶部１６ａと、ＲＡＣＨ管理部１６ｂとを有する。【００６１】
専用ＲＡＣＨ記憶部１６ａは、専用アクセススロットのアクセススロット番号を記憶する。例えば、ＲＡＣＨ制御部１６は、図４のステップＳ１８に示した例のように、ＭＭＥ１０００から専用アクセススロットのアクセススロット番号を送信された場合に、かかるアクセススロット番号を専用ＲＡＣＨ記憶部１６ａに格納する。また、例えば、ＲＡＣＨ制御部１６は、図５のステップＳ２８に示した例のように、ＭＭＥ１０００から開放完了通知を送信された場合に、専用ＲＡＣＨ記憶部１６ａに記憶されているアクセススロット番号を削除する。また、例えば、ＲＡＣＨ制御部１６は、図６のステップＳ４３に示した例のように、ＭＭＥ１０００から専用アクセススロットのアクセススロット番号を送信された場合に、受信したアクセススロット番号を専用ＲＡＣＨ記憶部１６ａに更新する。なお、専用ＲＡＣＨ記憶部１６ａは、図１に示した記憶部６ａに対応する。【００６２】
ＲＡＣＨ管理部１６ｂは、ＲＡＣＨを用いたランダムアクセスを行う。具体的には、ＲＡＣＨ管理部１６ｂは、専用ＲＡＣＨ記憶部１６ａにアクセススロット番号が記憶されている場合には、専用ＲＡＣＨ記憶部１６ａに記憶されているアクセススロット番号が示すアクセススロットによりランダムアクセスを行う。また、ＲＡＣＨ管理部１６ｂは、専用ＲＡＣＨ記憶部１６ａにアクセススロット番号が記憶されていない場合には、任意アクセススロットによりランダムアクセスを行う。また、例えば、ＲＡＣＨ管理部１６ｂは、ＵＥ１０がトラッキングエリアを移動してハンドオーバ処理が行われる場合には、基地局装置１００から指定される専用アクセススロットによりランダムアクセスを行う場合もある。なお、ＲＡＣＨ管理部１６ｂや無線送受信部１２は、図１に示した通信部６ｂに対応する。【００６３】
［実施例２における基地局装置の構成］
次に、図８を用いて、実施例２における基地局装置１００の構成について説明する。図８は、実施例２における基地局装置１００の構成例を示すブロック図である。図８に示すように、実施例２における基地局装置１００は、アンテナ１１０と、無線送受信部１２０と、ＩＦ（Interface）部１３０と、ＲＡＣＨ処理部１４０と、ＲＡＣＨ判定部１５０と、ＲＡＣＨリソース管理部１６０とを有する。【００６４】
アンテナ１１０は、各種信号を空中へ発射することでＵＥ１０へ各種信号を送信したり、ＵＥ１０から送信される信号を受信したりする。無線送受信部１２０は、アンテナ１１０を介して無線信号の送受信を行う。また、無線送受信部１２０は、アンテナ１１０を介して受信した信号をＩＦ部１３０へ出力したり、ＩＦ部１３０から各種信号を受信したりする。ＩＦ部１３０は、ＭＭＥ１０００との間で各種信号を送受する。【００６５】
ＲＡＣＨ処理部１４０は、ＲＡＣＨを用いてＵＥ１０から送信された各種信号を処理する。具体的には、ＲＡＣＨ処理部１４０は、ＵＥ１０との間でランダムアクセス処理を実行し、ランダムアクセス処理が正常終了した場合には、正常終了したランダムアクセスに用いられるアクセススロットをＲＡＣＨ判定部１５０に通知する。なお、ＲＡＣＨ処理部１４０は、例えば、受信信号の電力値等に基づいて、ランダムアクセス処理が正常終了したか否かを判定する。【００６６】
ＲＡＣＨ判定部１５０は、ＲＡＣＨ処理部１４０から通知されたアクセススロットが専用アクセススロットである場合には、かかる専用アクセススロットをＵＥ１０に割り当てるように指示する。例えば、ＲＡＣＨ判定部１５０は、ＵＥ１０がハンドオーバした場合等に、ＲＡＣＨ処理部１４０から専用アクセススロットを通知される。【００６７】
ＲＡＣＨリソース管理部１６０は、アクセススロットの割り当て状況を管理する。具体的には、ＲＡＣＨリソース管理部１６０は、ＲＡＣＨ割当部１６１と、タイマ監視部１６２と、専用ＲＡＣＨ割当部１６３とを有する。【００６８】
ＲＡＣＨ割当部１６１は、ＲＡＣＨ判定部１５０からの指示に従って、専用アクセススロットをＵＥ１０に割り当てる。例えば、ＵＥ１０がハンドオーバした場合等に、ＲＡＣＨ処理部１４０から通知される専用アクセススロットをＵＥ１０に割り当てる。【００６９】
タイマ監視部１６２は、ハンドオーバ処理にかかる時間等を監視する。例えば、ＬＴＥでは、Ｔ３０４タイマが満了するまでにハンドオーバ処理が完了することが決められている。タイマ監視部１６２は、かかるＴ３０４タイマが満了したか否かを監視する。上記のＲＡＣＨ割当部１６１は、タイマ監視部１６２によってＴ３０４タイマが満了したと判定された場合には、専用アクセススロットが開放される前であっても、かかる専用アクセススロットをＵＥ１０に割り当てる。【００７０】
専用ＲＡＣＨ割当部１６３は、優先端末に専用アクセススロットを割り当てたり、優先端末に割り当てている専用アクセススロットを開放したりする。具体的には、ＩＦ部１３０を介してＭＭＥ１０００から、専用アクセススロットを確保する旨の確保指示を受け付けた場合に、かかる確保指示に含まれるアクセススロット番号に対応するアクセススロットを確保する。そして、専用ＲＡＣＨ割当部１６３は、確保処理が終了した後に、専用アクセススロットを確保した旨の応答通知をＭＭＥ１０００に送信する。なお、専用ＲＡＣＨ割当部１６３による専用アクセススロット確保処理については図１０を用いて後に詳述する。【００７１】
また、専用ＲＡＣＨ割当部１６３は、ＭＭＥ１０００から、専用アクセススロットを開放する旨の開放指示を受け付けた場合に、かかる開放指示に含まれるアクセススロット番号に対応するアクセススロットを開放する。そして、専用ＲＡＣＨ割当部１６３は、開放処理が終了した後に、専用アクセススロットを開放した旨の応答通知をＭＭＥ１０００に送信する。【００７２】
［実施例２におけるＭＭＥの構成］
次に、図９を用いて、実施例２におけるＭＭＥ１０００の構成について説明する。図９は、実施例２におけるＭＭＥ１０００の構成例を示すブロック図である。図９に示すように、実施例２におけるＭＭＥ１０００は、ＩＦ部１１００と、優先開放通知受信部１２００と、ＴＡアップデート受信部１３００と、専用ＲＡＣＨリソース管理部１４００とを有する。【００７３】
ＩＦ部１１００は、基地局装置１００との間で各種信号を送受する。優先開放通知受信部１２００は、ＵＥ１０の優先開放通知部１４から送信される優先通知及び開放要求を、基地局装置１００を介して受信する。そして、優先開放通知受信部１２００は、ＵＥ１０から受信した優先通知及び開放要求を専用ＲＡＣＨリソース管理部１４００に通知する。【００７４】
ＴＡアップデート受信部１３００は、ＵＥ１０のＴＡアップデート通知部１５ｂから送信されるＴＡアップデートを、基地局装置１００を介して受信する。そして、ＴＡアップデート受信部１３００は、ＵＥ１０から受信したＴＡアップデートを専用ＲＡＣＨリソース管理部１４００に通知する。【００７５】
専用ＲＡＣＨリソース管理部１４００は、アクセススロットの割り当て状況を管理する。また、専用ＲＡＣＨリソース管理部１４００は、ＵＥ１０から送信される優先通知や開放要求やＴＡアップデートに基づいて、専用アクセススロットの確保指示や開放指示を行う。具体的には、専用ＲＡＣＨリソース管理部１４００は、選択部１４１０と、開放部１４２０と、指示部１４３０と、応答受信部１４４０と、通知部１４５０とを有する。【００７６】
選択部１４１０は、優先開放通知受信部１２００から優先通知を受け付けた場合や、ＴＡアップデート受信部１３００からＴＡアップデートを受け付けた場合に、他のＵＥに割り当てられていない専用アクセススロットを選択する。このとき、選択部１４１０は、優先通知やＴＡアップデートを仲介した基地局装置１００によって用いられる専用アクセススロットの中から、他のＵＥに割り当てられていない専用アクセススロットを選択する。【００７７】
開放部１４２０は、優先開放通知受信部１２００から開放要求を受け付けた場合に、開放要求を送信したＵＥ１０に割り当てられている専用アクセススロットを開放する。また、開放部１４２０は、ＴＡアップデート受信部１３００からＴＡアップデートを受け付けた場合に、ＴＡアップデートを送信したＵＡに現に割り当てられている専用アクセススロットを開放する。すなわち、開放部１４２０は、ＴＡアップデートを送信したＵＡの移動前におけるトラッキングエリアにおいて割り当てられている専用アクセススロットを開放する。【００７８】
指示部１４３０は、選択部１４１０によって専用アクセススロットが選択された場合に、優先通知を仲介した基地局装置１００が属する基地局群に、かかる専用アクセススロットを確保する指示である確保指示を送信する。また、指示部１４３０は、開放部１４２０によって専用アクセススロットが開放された場合に、開放要求を仲介した基地局装置１００が属する基地局群に、かかる専用アクセススロットを開放する指示である開放指示を送信する。【００７９】
応答受信部１４４０は、確保指示や開放指示に応答した基地局装置１００から送信される応答通知を受信する。通知部１４５０は、応答受信部１４４０によって応答通知が受信された場合に、ＵＥ１０に対して、専用アクセススロットの確保処理や開放処理が完了した旨を通知する。具体的には、通知部１４５０は、基地局装置１００から専用アクセススロットを確保した旨の応答通知を応答受信部１４４０が受信した場合に、選択部１４１０によって選択された専用アクセススロットのアクセススロット番号をＵＥ１０に通知する。【００８０】
［実施例２における基地局装置による確保処理手順］
次に、図１０を用いて、実施例２における基地局装置１００による専用アクセススロットの確保処理の手順について説明する。図１０は、実施例２における基地局装置１００による専用アクセススロットの確保処理手順を示すフローチャートである。【００８１】
図１０に示すように、基地局装置１００の専用ＲＡＣＨ割当部１６３は、ＭＭＥ１０００から専用アクセススロットの確保指示を受信した場合に（ステップＳ１０１肯定）、対象の専用アクセススロットが使用中であるか否かを判定する（ステップＳ１０２）。具体的には、専用ＲＡＣＨ割当部１６３は、確保指示に含まれるアクセススロット番号が示す専用アクセススロットが他のＵＥに割り当てられているか否かを判定する。【００８２】
そして、専用ＲＡＣＨ割当部１６３は、専用アクセススロットが使用中である場合には（ステップＳ１０２肯定）、タイマ監視部１６２によって監視されているＴ３０４タイマが満了するまで待機する（ステップＳ１０３）。これは、ハンドオーバ処理時に、専用アクセススロットが優先端末以外の他のＵＥに用いられるからである。そして、Ｔ３０４タイマが満了するまでにハンドオーバ処理が完了するので、専用ＲＡＣＨ割当部１６３は、Ｔ３０４タイマが満了するまで待機する。【００８３】
そして、専用ＲＡＣＨ割当部１６３は、確保指示に含まれるアクセススロット番号が示す専用アクセススロットを確保する（ステップＳ１０４）。また、専用ＲＡＣＨ割当部１６３は、専用アクセススロットが使用中でない場合には（ステップＳ１０２否定）、Ｔ３０４タイマが満了するまで待機せずに、専用アクセススロットを確保する（ステップＳ１０４）。【００８４】
そして、専用ＲＡＣＨ割当部１６３は、専用アクセススロットを確保した後に、専用アクセススロットを確保した旨の応答通知をＭＭＥ１０００に送信する（ステップＳ１０５）。【００８５】
［実施例２におけるＭＭＥによる優先通知受信時における選択処理手順］
次に、図１１を用いて、実施例２におけるＭＭＥ１０００による専用アクセススロットの選択処理の手順について説明する。図１１は、実施例２におけるＭＭＥ１０００による優先通知受信時における専用アクセススロットの選択処理手順を示すフローチャートである。【００８６】
図１１に示すように、ＭＭＥ１０００の優先開放通知受信部１２００が優先通知を受信した場合に（ステップＳ２０１肯定）、選択部１４１０は、カウンタｉを「Ｉ＋Ｘ」に設定する（ステップＳ２０２）。なお、ここでは、専用アクセススロットのアクセススロット番号が「Ｉ」〜「Ｉ＋Ｘ」であるものとする。図３に示した例の場合には、専用アクセススロットのアクセススロット番号が「４９」〜「６４」であるので、「Ｉ」＝「４９」であり、「Ｘ」＝「１５」である。【００８７】
続いて、選択部１４１０は、アクセススロット番号「ｉ」の専用アクセススロットが使用可能か否かを判定する（ステップＳ２０３）。そして、選択部１４１０は、専用アクセススロットが使用可能である場合には（ステップＳ２０３肯定）、かかる専用アクセススロットを選択する。そして、指示部１４３０は、優先通知を仲介した基地局装置１００が属する基地局群に、かかる専用アクセススロットを確保する指示である確保指示を送信する（ステップＳ２０４）。【００８８】
そして、応答受信部１４４０が基地局群から応答通知を受信した場合に（ステップＳ２０５）、通知部１４５０は、専用アクセススロットのアクセススロット番号「ｉ」をＵＥ１０に通知する（ステップＳ２０６）。【００８９】
一方、選択部１４１０は、アクセススロット番号「ｉ」の専用アクセススロットが使用不可である場合には（ステップＳ２０３否定）、カウンタｉをデクリメントする（ステップＳ２０７）。そして、選択部１４１０は、アクセススロット番号「ｉ」が示すアクセススロットが専用アクセススロットであるか否かを判定する（ステップＳ２０８）。言い換えれば、選択部１４１０は、アクセススロット番号「ｉ」が示すアクセススロットが任意アクセススロットでないことを確認する。【００９０】
アクセススロット番号「ｉ」が示すアクセススロットが専用アクセススロットである場合には（ステップＳ２０８肯定）、選択部１４１０は、ステップＳ２０３〜Ｓ２０８における処理を行う。【００９１】
一方、アクセススロット番号「ｉ」が示すアクセススロットが専用アクセススロットではなく任意アクセススロットである場合には（ステップＳ２０８否定）、選択部１４１０は処理を終了する。これは、ＵＥ１０に専用アクセススロットを割り当てることができないからである。【００９２】
［実施例２におけるＭＭＥによるＴＡアップデート受信時における選択処理手順］
次に、図１２を用いて、実施例２におけるＭＭＥ１０００によるＴＡアップデート受信時における専用アクセススロットの選択処理の手順について説明する。図１２は、実施例２におけるＭＭＥ１０００によるＴＡアップデート受信時における専用アクセススロットの選択処理手順を示すフローチャートである。【００９３】
図１２に示すように、ＭＭＥ１０００のＴＡアップデート受信部１３００がＴＡアップデートを受信した場合に（ステップＳ３０１肯定）、選択部１４１０は、専用アクセススロットの選択処理を行う。具体的には、選択部１４１０は、ＴＡアップデートを送信したＵＥ１０の移動前におけるトラッキングエリアにおいてＵＥ１０に割り当てられた専用アクセススロットが、移動後のトラッキングエリアにおいて使用可能か否かを判定する（ステップＳ３０２）。すなわち、選択部１４１０は、ＵＥ１０に割り当てられている専用アクセススロットのアクセススロット番号「Ｎ」が、ＵＥ１０の移動後トラッキングエリアにおいて他のＵＥに割り当てられている専用アクセススロットのアクセススロット番号か否かを判定する。【００９４】
そして、選択部１４１０は、アクセススロット番号「Ｎ」が使用可能である場合には（ステップＳ３０２肯定）、かかるアクセススロット番号「Ｎ」を確保する（ステップＳ３０３）。一方、選択部１４１０は、アクセススロット番号「Ｎ」が使用不可である場合には（ステップＳ３０２否定）、アクセススロット番号「Ｎ」と異なるアクセススロット番号「Ｍ」を確保する（ステップＳ３０４）。なお、選択部１４１０は、図１１における処理手順を行うことにより、アクセススロット番号「Ｍ」を確保することができる。【００９５】
続いて、開放部１４２０は、ＴＡアップデートを送信したＵＡに現に割り当てられている専用アクセススロットを開放する。そして、指示部１４３０は、ＵＥ１０の移動前のトラッキングエリアを形成する基地局群に対して、専用アクセススロットの開放指示を通知する（ステップＳ３０５）。また、指示部１４３０は、ＵＥ１０の移動後のトラッキングエリアを形成する基地局群に対して、ステップＳ３０３又はＳ３０４において確保した専用アクセススロットを確保する旨の確保指示を通知する（ステップＳ３０６）。【００９６】
そして、応答受信部１４４０が基地局群から応答通知を受信した場合に（ステップＳ３０７）、通知部１４５０は、ステップＳ３０３又はＳ３０４において確保した専用アクセススロットのアクセススロット番号をＵＥ１０に通知する（ステップＳ３０８）。【００９７】
上述してきたように、実施例２に係る無線通信システムＮ２において、ＵＥ１０は、電源投入された場合に優先通知をＭＭＥ１０００に送信し、電源が切られた場合に開放要求をＭＭＥ１０００に送信する。そして、ＭＭＥ１０００及び基地局装置１００は、優先通知を受信した場合に、専用アクセススロットを確保し、ＵＥ１０に割り当てる。また、ＭＭＥ１０００及び基地局装置１００は、開放要求を受信した場合に、ＵＥ１０に割り当てられている専用アクセススロットを開放する。以上のことから、実施例２に係る無線通信システムＮ２は、無線リソースが占有されることを防止することができるとともに、ランダムアクセスの競合を防止することができる。【００９８】
なお、上記実施例２では、１台のＵＥ１０に１個の専用アクセススロットを割り当てる例を示した。しかし、所定台数のＵＥに１個の専用アクセススロットを割り当ててもよい。すなわち、ランダムアクセスの競合が発生する確率が低い範囲で、複数台のＵＥに１個の専用アクセススロットを共有させてもよい。これにより、専用アクセススロットが１台のＵＥ１０に占有されることをより防止することができる。【００９９】
以下に、複数台のＵＥに１個の専用アクセススロットを割り当てる場合におけるＭＭＥ１０００の処理について説明する。図１３は、複数台のＵＥに割り当てられる専用アクセススロット数の例を示す図である。図１３に示した例では、ＭＭＥ１０００は、３台のＵＥに１個の専用アクセススロットを割り当てる。例えば、ＭＭＥ１０００は、優先端末の数が１台〜３台である場合には、１個の専用アクセススロットをかかる優先端末に割り当てる。また、例えば、ＭＭＥ１０００は、優先端末の数が４台〜６台である場合には、１個目の専用アクセススロットを３台の優先端末に割り当てるとともに、２個目の専用アクセススロットを残りの１台〜３台の優先端末に割り当てる。【０１００】
図１４は、複数台のＵＥに１個の専用アクセススロットを割り当てる場合におけるＭＭＥ１０００による専用アクセススロットの選択処理手順を示すフローチャートである。なお、以下では、１個の専用アクセススロットに割り当てることができるＵＥの最大台数を「割当台数閾値」と表記する場合がある。【０１０１】
図１４に示すように、ＭＭＥ１０００の優先開放通知受信部１２００が優先通知を受信した場合に（ステップＳ４０１肯定）、選択部１４１０は、既にＵＥに割り当てられている専用アクセススロットが存在するか否かを判定する（ステップＳ４０２）。そして、選択部１４１０は、既にＵＥに割り当てられている専用アクセススロットが存在する場合には（ステップＳ４０２肯定）、かかる専用アクセススロットに割り当てられているＵＥの台数が割当台数閾値よりも小さいか否かを判定する（ステップＳ４０３）。【０１０２】
そして、選択部１４１０は、割り当て済みのＵＥの台数が割当台数閾値よりも小さい場合には（ステップＳ４０３肯定）、既にＵＥに割り当てている専用アクセススロットのアクセススロット番号をＵＥ１０に通知する（ステップＳ４０４）。【０１０３】
一方、選択部１４１０は、ＵＥに割り当て済みの専用アクセススロットが存在しない場合や（ステップＳ４０２否定）、割り当て済みのＵＥの台数が割当台数閾値以上である場合には（ステップＳ４０３否定）、図１１に示した選択処理を行う（ステップＳ４０５）。【０１０４】
なお、図１４に示した例では、ＭＭＥ１０００が優先通知を受信した場合を例に挙げて説明したが、ＭＭＥ１０００は、ＴＡアップデートを受信した場合にも図１４に示した処理と同様の処理を行うことで、複数台のＵＥに１個の専用アクセススロットを割り当てることができる。
【実施例３】
【０１０５】
ところで、上記実施例２では、ＵＥ１０が優先通知や開放要求をＭＭＥ１０００に送信する例を示した。しかし、他の装置が優先通知や開放要求をＭＭＥに送信してもよい。そこで、実施例３では、加入者管理装置が優先通知や開放要求をＭＭＥに送信する例について説明する。【０１０６】
［実施例３に係る無線通信システムによる無線通信処理］
まず、図１５を用いて、実施例３に係る無線通信システムＮ３による無線通信処理について説明する。図１５は、実施例３に係る無線通信システムＮ３による無線通信処理例を示すシーケンス図である。なお、図１５では、ＵＥ２０に電源が投入された場合を例に挙げて説明する。また、図１５に示した例において、ＵＥ２０は、優先端末であるものとする。【０１０７】
図１５に示した例において、ＨＳＳ（Home  Subscriber  Service）３０００は、ＭＭＥ２０００と接続され、ＵＥ２０等の加入者情報を管理する加入者管理装置である。かかるＨＳＳ３０００は、例えば、ＵＥ２０の位置情報等や、ＵＥ２０が優先端末であるか否かを示す情報を保持する。【０１０８】
図１５に示すように、ＵＥ２０は、電源ＯＮ状態になった場合に（ステップＳ５１）、サービング基地局である基地局装置１００ａを介して、ＭＭＥ２０００に初期アタッチ（Initial  Attach）を行う（ステップＳ５２）。かかる初期アタッチは、例えば、ＵＥ２０の起動時にＳＩＭ（Subscriber  Identity  Module）番号等をＭＭＥ２０００に登録する登録処理等に相当する。【０１０９】
ＵＥ２０から初期アタッチを受け付けたＭＭＥ２０００は、位置更新情報（Location  Update）をＨＳＳ３０００に送信する（ステップＳ５３）。ＨＳＳ３０００は、加入者情報を参照して、ＵＥ２０が優先端末であるか否かを判定する。ここでは、ＵＥ２０が優先端末であるので、ＨＳＳ３０００は、ＭＭＥ２０００に対して優先通知を送信する（ステップＳ５４）。その後のステップＳ５５〜Ｓ５９における処理は、図４に示したステップＳ１４〜Ｓ１８における処理と同様である。【０１１０】
このように、ＨＳＳ３０００は、ＵＥ２０が優先端末である否かを示す情報を保持することで、ＭＭＥ２０００がＵＥ２０から初期アタッチを受け付けた場合に、優先通知をＭＭＥ２０００に送信することができる。【０１１１】
また、ＭＭＥ２０００は、ＵＥ２０の電源ＯＦＦ時にＵＥ２０からアタッチを受け付けた場合に、ＨＳＳ３０００に位置更新情報を送信する。このとき、ＨＳＳ３０００は、ＵＥ２０が優先端末であるか否かを判定する。これにより、ＨＳＳ３０００は、ＵＥ２０の電源ＯＦＦ時にＭＭＥ２０００に開放要求を送信することができる。また、ＭＭＥ２０００は、ＵＥ２０からＴＡアップデートを受信した場合に、ＨＳＳ３０００に位置更新情報を送信する。このとき、ＨＳＳ３０００は、ＵＥ２０が優先端末であるか否かを判定する。これにより、ＨＳＳ３０００は、ＵＥ２０からＴＡアップデートを受信した場合に、ＭＭＥ２０００に優先通知及び開放要求を送信することができる。【０１１２】
［実施例３におけるＵＥの構成］
次に、図１６を用いて、実施例３におけるＵＥ２０の構成について説明する。図１６は、実施例３におけるＵＥ２０の構成例を示すブロック図である。なお、以下では、図７に示した構成部位と同様の機能を有する部位には同一符号を付すこととして、その詳細な説明を省略する。【０１１３】
図１６に示すように、実施例３におけるＵＥ２０は、図７に示したＵＥ１０と比較して、優先開放通知部１４の代わりにアタッチ送受信部２４を有する。アタッチ送受信部２４は、アタッチ処理を行う。例えば、アタッチ送受信部２４は、電源ＯＮ通知部１３ａから電源ＯＮを示す情報が通知された場合に、図１５のステップＳ５２に示した例のように、初期アタッチを行う。また、例えば、アタッチ送受信部２４は、電源ＯＦＦ通知部１３ｂから電源ＯＦＦを示す情報が通知された場合に、基地局装置１００にアタッチ処理を行う。【０１１４】
［実施例３におけるＭＭＥの構成］
次に、図１７を用いて、実施例３におけるＭＭＥ２０００の構成について説明する。図１７は、実施例３におけるＭＭＥ２０００の構成例を示すブロック図である。なお、以下では、図９に示した構成部位と同様の機能を有する部位には同一符号を付すこととして、その詳細な説明を省略する。【０１１５】
図１７に示すように、実施例３におけるＭＭＥ２０００は、図９に示したＭＭＥ１０００と比較して、優先開放通知受信部１２００の代わりに、ＩＦ部２１００と、アタッチ送受信部２２００と、ロケーションアップデート生成部２３００と、優先開放通知受信部２４００とを有する。【０１１６】
ＩＦ部２１００は、ＨＳＳ３０００との間で各種信号を送受する。アタッチ送受信部２２００は、ＵＥ２０のアタッチ送受信部２４によるアタッチ処理によってＵＥ２０から送信される各種信号を受信する。【０１１７】
ロケーションアップデート生成部２３００は、アタッチ送受信部２２００がＵＥ２０のアタッチ送受信部２４によって送信される信号を受信した場合に、ＩＦ部２１００を介して、位置更新情報をＨＳＳ３０００に送信する。優先開放通知受信部２４００は、ＨＳＳ３０００から送信される優先通知及び開放要求を受信する。そして、優先開放通知受信部２４００は、ＨＳＳ３０００から受信した優先通知及び開放要求を専用ＲＡＣＨリソース管理部１４００に通知する。【０１１８】
［実施例３におけるＨＳＳの構成］
次に、図１８を用いて、実施例３におけるＨＳＳ３０００の構成について説明する。図１８は、実施例３におけるＨＳＳ３０００の構成例を示すブロック図である。図１８に示すように、実施例３におけるＨＳＳ３０００は、ＩＦ部３１００と、ロケーションアップデート受信部３２００と、加入者情報記憶部３３００と、優先認定部３４００とを有する。【０１１９】
ＩＦ部３１００は、ＭＭＥ２０００との間で各種信号を送受する。ロケーションアップデート受信部３２００は、ＭＭＥ２０００のロケーションアップデート生成部２３００によって送信される位置更新情報を受信する。ロケーションアップデート受信部３２００は、ＭＭＥ２０００から受信した位置更新情報を優先認定部３４００に通知する。【０１２０】
加入者情報記憶部３３００は、ＵＥ２０等の加入者に関する各種情報を記憶する。例えば、加入者情報記憶部３３００は、ＵＥ２０を識別するための端末識別情報や、ＵＥ２０が優先端末であるか否かを示す優先端末情報等を記憶する。【０１２１】
優先認定部３４００は、優先判定部３４１０と、優先開放通知部３４２０とを有する。優先判定部３４１０は、加入者情報記憶部３３００に記憶されている加入者情報に基づいて、ＵＥ２０が優先端末であるか否かを判定する。具体的には、優先判定部３４１０は、アタッチ処理を行ったＵＥ２０の端末識別情報に対応する優先端末情報を加入者情報記憶部３３００から取得することで、ＵＥ２０が優先端末であるか否かを判定する。【０１２２】
優先開放通知部３４２０は、優先判定部３４１０によってＵＥ２０が優先端末であると判定された場合に、優先通知や開放要求をＭＭＥ２０００に送信する。なお、優先開放通知部３４２０は、優先判定部３４１０によってＵＥ２０が優先端末であると判定された場合に、優先通知や開放要求をＭＭＥ２０００に送信せずに、ＵＥ２０が優先端末である旨を通知するだけでもよい。かかる場合に、ＭＭＥ２０００は、ＨＳＳ３０００からＵＥ２０が優先端末である旨を通知されると、確保指示や開放指示を基地局装置１００に対して行うことになる。【０１２３】
上述してきたように、実施例３に係る無線通信システムＮ３において、ＨＳＳ３０００は、ＭＭＥ２０００から位置更新情報を受け付けた場合に、優先通知や開放要求をＭＭＥ２０００に送信する。すなわち、ＨＳＳ３０００は、ＵＥ２０の電源が投入された場合に、ＭＭＥ２０００に優先通知を送信することができ、ＵＥ２０の電源が切られた場合に、ＭＭＥ２０００に開放要求を送信することができる。これにより、実施例３に係る無線通信システムＮ３は、無線リソースが占有されることを防止することができるとともに、ランダムアクセスの競合を防止することができる。
【実施例４】
【０１２４】
ところで、本願の開示する無線通信システム、管理装置、携帯端末装置、無線通信方法及び無線通信プログラムは、上述した実施例以外にも、種々の異なる形態にて実施されてよい。そこで、実施例４では、本願の開示する無線通信システム、管理装置、携帯端末装置、無線通信方法及び無線通信プログラムの他の実施例について説明する。【０１２５】
［専用アクセススロットの開放トリガ］
上記実施例２及び３では、ＵＥの電源が切られる場合に、かかるＵＥに割り当てられている専用アクセススロットを開放する例を示した。しかし、本願の開示する無線通信システム等は、ＵＥが基地局装置との間で無線通信が所定時間以上行われなくなった場合に、かかるＵＥに割り当てられている専用アクセススロットを開放してもよい。【０１２６】
［無線通信システムの構成］
上記実施例２及び３では、図６に示した例にように、１台のＭＭＥ１０００によって管理される基地局装置１００ａ〜１００ｆが形成するトラッキングエリア間でＵＥが移動した場合に、ＵＥ１０に割り当てる専用アクセススロットを更新する例を示した。しかし、本願の開示する無線通信システム等は、ＵＥが、ＭＭＥ１０００Ａによって管理される基地局装置１００Ａが形成するトラッキングエリアから、ＭＭＥ１０００Ｂによって管理される基地局装置１００Ｂが形成するトラッキングエリアに移動した場合にも適用することができる。かかる場合には、ＭＭＥ１０００Ａは、基地局装置１００Ａが属する基地局群に対して開放要求を送信し、ＭＭＥ１０００Ｂは、基地局装置１００Ｂが属する基地局群に対して優先通知を送信することになる。【０１２７】
［プログラム］
また、上記実施例で説明した各種の処理は、あらかじめ用意されたプログラムをパーソナルコンピュータやワークステーションなどのコンピュータで実行することによって実現することができる。そこで、以下では、図１９を用いて、図１に示した管理装置２と同様の機能を有する無線通信プログラムを実行するコンピュータの一例を説明する。【０１２８】
図１９は、無線通信プログラムを実行するコンピュータを示す図である。図１９に示すように、コンピュータ１００Ｐは、ＲＡＭ（Random  Access  Memory）１１０Ｐと、キャッシュ１２０Ｐと、ＨＤＤ１３０Ｐと、ＲＯＭ（Read  Only  Memory）１４０Ｐと、ＣＰＵ（Central  Processing  Unit）１５０Ｐ、バス１６０Ｐとを有する。ＲＡＭ１１０Ｐ、キャッシュ１２０Ｐ、ＨＤＤ１３０Ｐ、ＲＯＭ１４０Ｐ、ＣＰＵ１５０Ｐは、バス１６０Ｐによって接続されている。【０１２９】
ＲＯＭ１４０Ｐには、図１に示した管理装置２と同様の機能を発揮する無線通信プログラムが予め記憶されている。具体的には、ＲＯＭ１４０Ｐには、管理プログラム１４１Ｐと、選択プログラム１４２Ｐと、指示プログラム１４３Ｐとが記憶されている。そして、ＣＰＵ１５０Ｐは、ＲＯＭ１４０Ｐから、管理プログラム１４１Ｐ、選択プログラム１４２Ｐ、指示プログラム１４３Ｐを読み出して実行する。【０１３０】
これにより、図１９に示すように、管理プログラム１４１Ｐは、管理プロセス１５１Ｐになる。また、選択プログラム１４２Ｐは、選択プロセス１５２Ｐになる。また、指示プログラム１４３Ｐは、指示プロセス１５３Ｐになる。なお、管理プロセス１５１Ｐは、図１に示した管理部２ａに対応する。また、選択プロセス１５２Ｐは、図１に示した選択部２ｂに対応する。また、指示プロセス１５３Ｐは、図１に示した指示部２ｃに対応する。【０１３１】
なお、上記した各プログラム１４１Ｐ〜１４３Ｐについては、必ずしもＲＯＭ１４０Ｐに記憶させなくてもよい。例えば、コンピュータ１００Ｐに挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」にプログラム１４１Ｐ〜１４３Ｐを記憶させてもよい。または、コンピュータ１００Ｐの内外に備えられるハードディスクドライブ（ＨＤＤ）などの「固定用の物理媒体」にプログラム１４１Ｐ〜１４３Ｐを記憶させてもよい。または、公衆回線、インターネット、ＬＡＮ、ＷＡＮなどを介してコンピュータ１００Ｐに接続される「他のコンピュータ（またはサーバ）」にプログラム１４１Ｐ〜１４３Ｐを記憶させてもよい。そして、コンピュータ１００Ｐは、上述したフレキシブルディスク等から各プログラムを読み出して実行するようにしてもよい。【０１３２】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図７に示したＴＡ変更受信部１５ａとＴＡアップデート通知部１５ｂとは統合されてもよいし、図９に示した優先開放通知受信部１２００は、優先通知受信部と、開放要求受信部とに分散されてもよい。
【符号の説明】
【０１３３】
Ｎ１〜Ｎ３  無線通信システム
２  管理装置
２ａ  管理部
２ｂ  選択部
２ｃ  指示部
３、４、５  基地局装置
３ａ、４ａ、５ａ  割当部
６  携帯端末装置
６ａ  記憶部
６ｂ  通信部
１０、１０ａ〜１０ｃ、２０  ＵＥ
１１  アンテナ
１２  トラッキングエリアＴＡ,無線送受信部
１３  電源管理部
１３ａ  電源ＯＮ通知部
１３ｂ  電源ＯＦＦ通知部
１４  優先開放通知部
１５  状態管理部
１５ａ  ＴＡ変更受信部
１５ｂ  ＴＡアップデート通知部
１６  ＲＡＣＨ制御部
１６ａ  専用ＲＡＣＨ記憶部
１６ｂ  ＲＡＣＨ管理部
２４  アタッチ送受信部
１００  基地局装置
１００ａ〜１００ｆ  基地局装置
１１０  アンテナ
１２０  無線送受信部
１３０  ＩＦ部
１４０  ＲＡＣＨ処理部
１５０  ＲＡＣＨ判定部
１６０  ＲＡＣＨリソース管理部
１６１  ＲＡＣＨ割当部
１６２  タイマ監視部
１６３  専用ＲＡＣＨ割当部
１０００、２０００  ＭＭＥ
１１００  ＩＦ部
１２００  優先開放通知受信部
１３００  ＴＡアップデート受信部
１４００  専用ＲＡＣＨリソース管理部
１４１０  選択部
１４２０  開放部
１４３０  指示部
１４４０  応答受信部
１４５０  通知部
２１００  ＩＦ部
２２００  アタッチ送受信部
２３００  ロケーションアップデート生成部
２４００  優先開放通知受信部
３０００  ＨＳＳ
３１００  ＩＦ部
３２００  ロケーションアップデート受信部
３３００  加入者情報記憶部
３４００  優先認定部
３４１０  優先判定部
３４２０  優先開放通知部
【図１】
0005522255.tif 000002
【図２】
0005522255.tif 000003
【図３】
0005522255.tif 000004
【図４】
0005522255.tif 000005
【図５】
0005522255.tif 000006
【図６】
0005522255.tif 000007
【図７】
0005522255.tif 000008
【図８】
0005522255.tif 000009
【図９】
0005522255.tif 000010
【図１０】
0005522255.tif 000011
【図１１】
0005522255.tif 000012
【図１２】
0005522255.tif 000013
【図１３】
0005522255.tif 000014
【図１４】
0005522255.tif 000015
【図１５】
0005522255.tif 000016
【図１６】
0005522255.tif 000017
【図１７】
0005522255.tif 000018
【図１８】
0005522255.tif 000019
【図１９】
0005522255.tif 000020